(57)【特許請求の範囲】
【請求項１】
Ｎを２以上の整数とし、入力された映像データを１ラインからＮラインまでそれぞれのライン数分遅延させるＮラインバッファと、
ＸをＮより小さい２以上の整数とし、前記Ｎラインバッファより出力された１ラインからＮラインまでそれぞれのライン数分遅延させたデータのうち、１ラインからＸラインまでそれぞれのライン数分遅延させたデータを用いて、第１の複数の周波数帯域に分割した第１のマルチバンド信号を生成する第１のマルチバンド信号生成部と、
Ｍを整数とし、前記第１のマルチバンド信号生成部より出力された前記第１の複数の周波数帯域のデータそれぞれを、１ラインからＭラインまでそれぞれのライン数分遅延させるＭラインバッファと、
前記Ｍラインバッファより出力された１ラインからＭラインまでそれぞれのライン数分遅延させた前記第１の複数の周波数帯域のデータに基づいて、最大で水平方向にＭ画素、垂直方向にＭラインの領域を設定し、前記入力された映像データから直流成分を除去して生成された原データと前記第１の複数の周波数帯域のデータそれぞれとの相関を前記領域ごとに検出することによって、前記入力された映像データが有する特徴を解析する解析部と、
前記解析部による解析結果に基づいてカットオフ周波数を設定し、前記Ｎラインバッファより出力された１ラインからＮラインまでそれぞれのライン数分遅延させたデータを用いて、第２の複数の周波数帯域に分割した第２のマルチバンド信号を生成する第２のマルチバンド信号生成部と、
前記解析部による解析結果に基づいて、前記第２のマルチバンド信号生成部より出力された前記第２の複数の周波数帯域のデータそれぞれの振幅を調整して、前記第２の複数の周波数帯域のデータを合成して出力する振幅調整・合成部と、
を備えることを特徴とする映像信号処理装置。
【請求項２】
前記第１のマルチバンド信号生成部はＸタップのＦＩＲフィルタであり、前記第２のマルチバンド信号生成部はＮタップのＦＩＲフィルタであることを特徴とする請求項１記載の映像信号処理装置。
【請求項３】
前記ＭラインバッファにおけるＭを、前記第２のマルチバンド信号生成部及び前記振幅調整・合成部による処理と、前記第１のマルチバンド信号生成部と前記Ｍラインバッファと前記解析部とによる処理とのタイミングを合わせる数に設定していることを特徴とする請求項１または２に記載の映像信号処理装置。
【請求項４】
ＭはＮ−Ｘ＋１なる数であることを特徴とする請求項３記載の映像信号処理装置。
【請求項５】
前記第２の複数の周波数帯域を、前記第１の複数の周波数帯域よりも少なくしていることを特徴とする請求項１〜４のいずれか１項に記載の映像信号処理装置。
【請求項６】
前記第１のマルチバンド信号生成部に入力するデータのビット数を、前記第２のマルチバンド信号生成部に入力するデータのビット数よりも小さくしていることを特徴とする請求項１〜５のいずれか１項に記載の映像信号処理装置。
【請求項７】
Ｎを２以上の整数とし、入力された映像データを、Ｎラインバッファを用いて１ラインからＮラインまでそれぞれのライン数分遅延させ、
ＸをＮより小さい２以上の整数とし、前記Ｎラインバッファによって１ラインからＮラインまでそれぞれのライン数分遅延させたデータのうち、１ラインからＸラインまでそれぞれのライン数分遅延させたデータを用いて、第１の複数の周波数帯域に分割した第１のマルチバンド信号を生成し、
Ｍを整数とし、前記第１のマルチバンド信号における前記第１の複数の周波数帯域のデータそれぞれを、Ｍラインバッファを用いて１ラインからＭラインまでそれぞれのライン数分遅延させ、
前記Ｍラインバッファによって１ラインからＭラインまでそれぞれのライン数分遅延させた前記第１の複数の周波数帯域のデータに基づいて、最大で水平方向にＭ画素、垂直方向にＭラインの領域を設定し、前記入力された映像データから直流成分を除去して生成された原データと前記第１の複数の周波数帯域のデータそれぞれとの相関を前記領域ごとに検出することによって、前記入力された映像データが有する特徴を解析し、
前記入力された映像データが有する特徴の解析結果に基づいてカットオフ周波数を設定し、前記Ｎラインバッファによって１ラインからＮラインまでそれぞれのライン数分遅延させたデータを用いて、第２の複数の周波数帯域に分割した第２のマルチバンド信号を生成し、
前記入力された映像データが有する特徴の解析結果に基づいて、前記第２のマルチバンド信号における前記第２の複数の周波数帯域のデータそれぞれの振幅を調整して、前記第２の複数の周波数帯域のデータを合成して出力する
ことを特徴とする映像信号処理方法。
【請求項８】
ＸタップのＦＩＲフィルタを用いて前記第１のマルチバンド信号を生成し、ＮタップのＦＩＲフィルタを用いて前記第２のマルチバンド信号を生成することを特徴とする請求項７記載の映像信号処理方法。
【請求項９】
前記第２の複数の周波数帯域を、前記第１の複数の周波数帯域よりも少なくしていることを特徴とする請求項７または８に記載の映像信号処理方法。
【請求項１０】
前記第１のマルチバンド信号それぞれのデータのビット数を、前記第２のマルチバンド信号それぞれのデータのビット数よりも小さくしていることを特徴とする請求項７〜９のいずれか１項に記載の映像信号処理方法。
【発明の詳細な説明】
【技術分野】
【０００１】
本発明は、映像信号に対してノイズ低減処理，エンハンス処理，スムージング処理のうちの少なくとも１つの処理を施す映像信号処理装置及び方法に関する。
【背景技術】
【０００２】
映像信号処理装置として、映像信号に含まれるノイズを低減するノイズ低減回路や、映像信号を強調するエンハンス回路がよく用いられる。また、映像信号処理装置として、ぼけている画像のぼけを強調する、いわゆるスムージング処理を行うスムージング回路が用いられる場合もある。
【先行技術文献】
【特許文献】
【０００３】
【特許文献１】特開２００１−３６７７０号公報
【特許文献２】特開２００７−１９４７７５号公報
【発明の概要】
【発明が解決しようとする課題】
【０００４】
例えば、エンハンス回路の前段にノイズ低減回路がある場合、エンハンス回路で強調したい部分がノイズ低減回路で減衰されてしまい、エンハンス回路による所望の効果を得ることができないという場合もある。
【０００５】
従来の映像信号処理装置においては、ノイズ低減回路，エンハンス回路，スムージング回路の各種信号処理回路が個別に存在しており、映像信号の特徴（画像の特徴）に応じて、ノイズ低減処理，エンハンス処理，スムージング処理のうちの１または複数の処理を映像信号に対して最適に施すことが困難であるという問題点があった。また、ノイズ低減回路，エンハンス回路，スムージング回路が個別に存在するので、回路規模が比較的大きくなりやすいという問題点があった。
【０００６】
本発明はこのような問題点に鑑み、映像信号に対して、ノイズ低減処理，エンハンス処理，スムージング処理のうちの少なくとも１つの処理を映像信号の特徴に応じて最適に施すことができる映像信号処理装置及び方法を提供することを目的とする。また、回路規模を縮小しながら、映像信号に対して、ノイズ低減処理，エンハンス処理，スムージング処理を選択的に施すことができる映像信号処理装置及び方法を提供する。
【課題を解決するための手段】
【０００７】
本発明は、上述した従来の技術の課題を解決するため、Ｎを２以上の整数とし、入力された映像データを１ラインからＮラインまでそれぞれのライン数分遅延させるＮラインバッファと、ＸをＮより小さい２以上の整数とし、前記Ｎラインバッファより出力された１ラインからＮラインまでそれぞれのライン数分遅延させたデータのうち、１ラインからＸラインまでそれぞれのライン数分遅延させたデータを用いて、第１の複数の周波数帯域に分割した第１のマルチバンド信号を生成する第１のマルチバンド信号生成部と、Ｍを整数とし、前記第１のマルチバンド信号生成部より出力された前記第１の複数の周波数帯域のデータそれぞれを、１ラインからＭラインまでそれぞれのライン数分遅延させるＭラインバッファと、前記Ｍラインバッファより出力された１ラインからＭラインまでそれぞれのライン数分遅延させた前記第１の複数の周波数帯域のデータに基づいて、最大で水平方向にＭ画素、垂直方向にＭラインの領域を設定し、前記入力された映像データから直流成分を除去して生成された原データと前記第１の複数の周波数帯域のデータそれぞれとの相関を前記領域ごとに検出することによって、前記入力された映像データが有する特徴を解析する解析部と、前記解析部による解析結果に基づいてカットオフ周波数を設定し、前記Ｎラインバッファより出力された１ラインからＮラインまでそれぞれのライン数分遅延させたデータを用いて、第２の複数の周波数帯域に分割した第２のマルチバンド信号を生成する第２のマルチバンド信号生成部と、前記解析部による解析結果に基づいて、前記第２のマルチバンド信号生成部より出力された前記第２の複数の周波数帯域のデータそれぞれの振幅を調整して、前記第２の複数の周波数帯域のデータを合成して出力する振幅調整・合成部とを備えることを特徴とする映像信号処理装置を提供する。
【０００８】
上記の映像信号処理装置において、前記第１のマルチバンド信号生成部はＸタップのＦＩＲフィルタであり、前記第２のマルチバンド信号生成部はＮタップのＦＩＲフィルタであることが好ましい。
【０００９】
上記の映像信号処理装置において、前記ＭラインバッファにおけるＭを、前記第２のマルチバンド信号生成部及び前記振幅調整・合成部による処理と、前記第１のマルチバンド信号生成部と前記Ｍラインバッファと前記解析部とによる処理とのタイミングを合わせる数に設定していることが好ましい。
【００１０】
上記の映像信号処理装置において、ＭはＮ−Ｘ＋１なる数であることが好ましい。
【００１１】
上記の映像信号処理装置において、前記第２の複数の周波数帯域を、前記第１の複数の周波数帯域よりも少なくすることが好ましい。
【００１２】
上記の映像信号処理装置において、前記第１のマルチバンド信号生成部に入力するデータのビット数を、前記第２のマルチバンド信号生成部に入力するデータのビット数よりも小さくすることが好ましい。
【００１３】
また、本発明は、上述した従来の技術の課題を解決するため、Ｎを２以上の整数とし、入力された映像データを、Ｎラインバッファを用いて１ラインからＮラインまでそれぞれのライン数分遅延させ、ＸをＮより小さい２以上の整数とし、前記Ｎラインバッファによって１ラインからＮラインまでそれぞれのライン数分遅延させたデータのうち、１ラインからＸラインまでそれぞれのライン数分遅延させたデータを用いて、第１の複数の周波数帯域に分割した第１のマルチバンド信号を生成し、Ｍを整数とし、前記第１のマルチバンド信号における前記第１の複数の周波数帯域のデータそれぞれを、Ｍラインバッファを用いて１ラインからＭラインまでそれぞれのライン数分遅延させ、前記Ｍラインバッファによって１ラインからＭラインまでそれぞれのライン数分遅延させた前記第１の複数の周波数帯域のデータに基づいて、最大で水平方向にＭ画素、垂直方向にＭラインの領域を設定し、前記入力された映像データから直流成分を除去して生成された原データと前記第１の複数の周波数帯域のデータそれぞれとの相関を前記領域ごとに検出することによって、前記入力された映像データが有する特徴を解析し、前記入力された映像データが有する特徴の解析結果に基づいてカットオフ周波数を設定し、前記Ｎラインバッファによって１ラインからＮラインまでそれぞれのライン数分遅延させたデータを用いて、第２の複数の周波数帯域に分割した第２のマルチバンド信号を生成し、前記入力された映像データが有する特徴の解析結果に基づいて、前記第２のマルチバンド信号における前記第２の複数の周波数帯域のデータそれぞれの振幅を調整して、前記第２の複数の周波数帯域のデータを合成して出力することを特徴とする映像信号処理方法を提供する。
【００１４】
上記の映像信号処理方法において、ＸタップのＦＩＲフィルタを用いて前記第１のマルチバンド信号を生成し、ＮタップのＦＩＲフィルタを用いて前記第２のマルチバンド信号を生成することが好ましい。
【００１５】
上記の映像信号処理方法において、前記第２の複数の周波数帯域を、前記第１の複数の周波数帯域よりも少なくすることが好ましい。
【００１６】
上記の映像信号処理方法において、前記第１のマルチバンド信号それぞれのデータのビット数を、前記第２のマルチバンド信号それぞれのデータのビット数よりも小さくすることが好ましい。
【発明の効果】
【００１７】
本発明の映像信号処理装置及び方法によれば、映像信号に対して、ノイズ低減処理，エンハンス処理，スムージング処理のうちの少なくとも１つの処理を映像信号の特徴に応じて最適に施すことができる。また、本発明の映像信号処理装置及び方法によれば、回路規模を縮小しながら、映像信号に対して、ノイズ低減処理，エンハンス処理，スムージング処理を選択的に施すことができる。
【図面の簡単な説明】
【００１８】
【図１】本発明の映像信号処理装置の一実施形態を示すブロック図である。
【図２】図１中のマルチバンド信号生成部２が生成する８バンドのマルチバンド信号を示す特性図である。
【図３】図１中の解析部４の具体的構成例を示すブロック図である。
【図４】図３中の相関検出部４１が領域ごとに相関検出を行う際の領域を説明するための図である。
【図５】図３中の相関検出部４１が検出した周波数帯域ごとの相関値のヒストグラムの例を示す図である。
【図６】相関値のヒストグラムが図５の場合に、図１中のマルチバンド信号生成部５で設定するカットオフ周波数と振幅調整・合成部６で設定する振幅の例を示す図である。
【図７】図３中の相関検出部４１が検出した周波数帯域ごとの相関値のヒストグラムの他の例を示す図である。
【図８】相関値のヒストグラムが図７の場合に、図１中のマルチバンド信号生成部５で設定するカットオフ周波数と振幅調整・合成部６で設定する振幅の例を示す図である。
【図９】３バンドのマルチバンド信号を示す特性図である。
【図１０】原データと図９の３バンドのデータとの相関を検出する場合の具体的な例を説明するための波形図である。
【発明を実施するための形態】
【００１９】
以下、本発明の映像信号処理装置及び方法の一実施形態について、添付図面を参照して説明する。図１において、デジタル映像データは、Ｎラインバッファ１に入力される。Ｎラインバッファ１は、Ｎを整数として、Ｎライン分のラインバッファ（ラインメモリ）を有する。本実施形態では、一例としてＮを２１とする。Ｎラインバッファ１は、入力されたデジタル映像データを１ラインから２１ラインまでそれぞれのライン数分遅延させる。デジタル映像データを例えば１２ビットとする。
【００２０】
Ｎラインバッファ１の後段には、信号解析ブロック１０と、信号処理ブロック２０とが設けられている。信号解析ブロック１０は、マルチバンド信号生成部２と、複数のＭラインバッファと、解析部４とを備える。信号処理ブロック２０は、マルチバンド信号生成部５と振幅調整・合成部６とを備える。
【００２１】
マルチバンド信号生成部２には、１ライン遅延から１７ライン遅延までの１７ライン分のデータが入力される。信号解析ブロック１０には１２ビットのデータを入力する必要はなく、マルチバンド信号生成部２に入力される１７ライン分のデータを例えば９ビットとする。
【００２２】
信号解析ブロック１０は、デジタル映像データがどのような特徴を有するデータであるのかを解析するものであるので、９ビットで十分である。信号解析ブロック１０に入力するデータのビット数をデジタル映像データが有するビット数よりも少なくすることにより、回路規模を削減することができる。
【００２３】
マルチバンド信号生成部２は、入力された１７ライン分のデータを、図２に示すように、例えばＢ１〜Ｂ８の８バンドの周波数帯域に分けて、マルチバンド信号として出力する。マルチバンド信号生成部２は、２次元ＦＩＲフィルタで構成することができる。マルチバンド信号生成部２は、１７タップの２次元ＦＩＲフィルタでよい。
【００２４】
マルチバンド信号生成部２の後段には、８バンドのマルチバンド信号に対応して８つのＭラインバッファ３ａ〜３ｈが設けられている。信号処理ブロック２０には、Ｎラインバッファ１より出力された２１ライン分（２１タップ）のデータが入力される。Ｍラインバッファ３ａ〜３ｈにおけるＭは、信号処理ブロック２０に入力されるデータのタップ数Ｙから信号解析ブロック１０に入力されるデータのタップ数Ｘを引いて１加えた数とする。本実施形態では、Ｍは、２１−１７＋１より５である。
【００２５】
Ｍラインバッファ３ａ〜３ｈにおけるＭをＹ−Ｘ＋１とすることにより、信号処理ブロック２０における信号処理と、信号解析ブロック１０における信号解析とのタイミングを合わせることができる。
【００２６】
マルチバンド信号生成部２より出力された周波数帯域Ｂ１〜Ｂ８のマルチバンド信号はそれぞれ対応するＭラインバッファ３ａ〜３ｈに入力されて、１ラインから５ラインまでそれぞれのライン数分遅延される。Ｍラインバッファ３ａ〜３ｈより出力された５ライン分のデータは、解析部４に入力される。解析部４は後述するようにして周波数帯域Ｂ１〜Ｂ８のマルチバンド信号を解析することによって、Ｎラインバッファ１に入力されたデジタル映像データが有する特徴を解析する。
【００２７】
信号処理ブロック２０におけるマルチバンド信号生成部５は、入力された２１ライン分のデータを例えば４バンドの周波数帯域に分けて、マルチバンド信号として出力する。マルチバンド信号生成部５は、２次元ＦＩＲフィルタで構成することができる。マルチバンド信号生成部５は、２１タップの２次元ＦＩＲフィルタでよい。
【００２８】
マルチバンド信号生成部５を構成する２次元ＦＩＲフィルタのカットオフ周波数は、解析部４より出力されたフィルタ制御信号Ｓc5によって制御される。
【００２９】
マルチバンド信号生成部５より出力された４バンドのマルチバンド信号は、振幅調整・合成部６に入力される。振幅調整・合成部６は、４バンドのマルチバンド信号の振幅を、解析部４より出力された振幅制御信号Ｓc6に基づいて調整し、振幅を調整した４バンドのマルチバンド信号を合成して出力する。
【００３０】
図３を用いて、解析部４の具体的構成及び動作について説明する。図３に示すように、解析部４は、相関検出部４１，最大値検出部４２，フィルタ係数算出部４３，ゲイン設定部４４を備える。図示を省略しているが、解析部４は、Ｍラインバッファ３ａ〜３ｈから出力されたそれぞれ５ライン分のデータを、１画素から５画素までそれぞれの画素数分遅延させる画素遅延器を有する。
【００３１】
相関検出部４１は、デジタル映像データの原データと周波数帯域Ｂ１〜Ｂ８それぞれのデータとの相関値を検出する。相関検出部４１は、デジタル映像データのＡＰＬ（Average Picture Level）に応じて正規化した上で相関を取ることが好ましい。相関検出部４１は、周波数帯域Ｂ１〜Ｂ８それぞれで、相関を検出するのに最適な領域を設定する。相関検出部４１は、周波数帯域Ｂ１〜Ｂ８それぞれに対して、図４に示すように、ハッチングを付している注目画素を中心として、水平方向５画素、垂直方向５画素（５ライン）の５×５の領域、または、水平方向３画素、垂直方向３画素（３ライン）の３×３の領域を設定する。
【００３２】
即ち、相関検出部４１がデジタル映像データの原データと周波数帯域Ｂ１〜Ｂ８それぞれのデータとの相関値を検出する際の領域は、最大で水平方向Ｍ画素、垂直方向Ｍ画素（Ｍライン）のＭ×Ｍの領域となる。
【００３３】
本実施形態では、相関検出部４１は、周波数帯域Ｂ１〜Ｂ８のマルチバンド信号のうちの最も周波数が低い周波数帯域Ｂ１を除く周波数帯域Ｂ２〜Ｂ８の信号を合成することによってデジタル映像データの原データを生成することとする。デジタル映像データの全帯域のデータから周波数帯域Ｂ１を除いたデータを原データとすることもできる。
【００３４】
周波数帯域Ｂ１〜Ｂ８それぞれのデータと比較する原データは、デジタル映像データに相当するデータであればよい。
【００３５】
相関検出部４１は、周波数帯域Ｂ１を除くデータを原データとすることによって直流成分を除去する。相関検出部４１は、直流成分を除去することによって、デジタル映像データの原データと周波数帯域Ｂ２〜Ｂ８それぞれのデータとの相関を検出することが可能となる。
【００３６】
最大値検出部４２は、周波数帯域Ｂ２〜Ｂ８のマルチバンド信号のうちの最大値を検出する。
【００３７】
フィルタ係数算出部４３は、相関検出部４１で検出した周波数帯域Ｂ２〜Ｂ８それぞれにおける相関値と、最大値検出部４２で検出した周波数帯域Ｂ２〜Ｂ８のマルチバンド信号のうちの最大値とに基づいて、マルチバンド信号生成部５を構成する２次元ＦＩＲフィルタのカットオフ周波数を制御するフィルタ制御信号Ｓc5を生成して出力する。
【００３８】
ゲイン設定部４４は、相関検出部４１で検出した周波数帯域Ｂ２〜Ｂ８それぞれにおける相関値と、最大値検出部４２で検出した周波数帯域Ｂ２〜Ｂ８のマルチバンド信号のうちの最大値とに基づいて、振幅調整・合成部６が４バンドのマルチバンド信号を合成する際のマルチバンド信号の振幅を制御する振幅制御信号Ｓc6を生成して出力する。
【００３９】
ゲイン設定部４４によってマルチバンド信号の振幅を制御するためにゲインを増大させると、マルチバンド信号がとり得る最大の振幅の閾値を越える可能性がある。そこで、ゲイン設定部４４は、最大値検出部４２で検出した最大値に基づいて最大の振幅の閾値を越えないようにゲインを設定する。
【００４０】
図５は、相関検出部４１が検出した周波数帯域Ｂ２〜Ｂ８それぞれにおける相関値のヒストグラムの例を示している。図５に示す例では、周波数帯域Ｂ５から周波数帯域Ｂ７まで相関値が順に高くなっているものの、周波数帯域Ｂ８の相関値が小さくなっている。本来であれば、周波数帯域Ｂ８の相関値はより高くなるべきである。
【００４１】
この図５に示す例は、高域部分が減衰した特性である。そこで、相関値のヒストグラムが図５のような場合には、信号処理ブロック２０をエンハンス回路として動作させる。
【００４２】
この場合、マルチバンド信号生成部５を構成する２次元ＦＩＲフィルタの特性と、振幅調整・合成部６における振幅を図６のように設定する。マルチバンド信号生成部５より出力された４バンドのマルチバンド信号のうち、最も周波数が低いバンドの信号はカットオフ周波数が固定のローパスフィルタを通過する信号である。よって、図６では、最も周波数が低いバンドを除く中低域の周波数帯域ＢＬＭと中高域の周波数帯域ＢＨＭと高域の周波数帯域ＢＨの３つのみを示している。
【００４３】
フィルタ係数算出部４３は、周波数帯域ＢＬＭ，ＢＨＭ，ＢＨのカットオフ周波数を図６のような位置に設定する。ゲイン設定部４４は、周波数帯域ＢＨＭの振幅をやや増大させ、高域のエンハンス処理のため周波数帯域ＢＨの振幅を大幅に増大させるようゲインを設定する。
【００４４】
図７は、相関検出部４１が検出した周波数帯域Ｂ２〜Ｂ８それぞれにおける相関値のヒストグラムの他の例を示している。図７に示す例では、周波数帯域Ｂ２の相関値が高く、周波数帯域Ｂ３以上で相関値が急激に小さくなっている。周波数帯域Ｂ７は周波数帯域Ｂ６，Ｂ８と比較して相関値が高くなっている。
【００４５】
この図７に示す例は、高域成分が少なくて画像がぼけている特性である。また、周波数帯域Ｂ７はノイズが発生している特性である。そこで、相関値のヒストグラムが図７のような場合には、信号処理ブロック２０をスムージング回路及びノイズ低減回路として動作させる。
【００４６】
この場合、マルチバンド信号生成部５を構成する２次元ＦＩＲフィルタの特性と、振幅調整・合成部６における振幅を図８のように設定する。フィルタ係数算出部４３は、周波数帯域ＢＬＭ，ＢＨＭ，ＢＨのカットオフ周波数を図８のような位置に設定する。ゲイン設定部４４は、画像のぼけを強調させるために、周波数帯域ＢＬＭの振幅を増大させるようゲインを設定する。ゲイン設定部４４は、ノイズを低減させるために、周波数帯域ＢＨの振幅を低減させるようゲインを設定する。
【００４７】
さらに、図９及び図１０を用いて、信号処理ブロック２０をエンハンス回路として動作させる場合の、相関検出部４１によって相関を検出する動作の具体的な例を説明する。前述のように、相関検出部４１は、原データと周波数帯域Ｂ２〜Ｂ８の７バンドのデータとの相関を検出するが、ここでは簡略化のため、原データと図９に示す３バンドのデータとの相関を検出する場合について説明する。
【００４８】
マルチバンド信号生成部２に入力される原データが図１０の（ａ）に示すような太い実線で示す波形であるとする。図１０の（ａ），（ｂ）における横軸は水平方向の画素位置、縦軸は振幅である。マルチバンド信号生成部２が、図９に示すように、原データを周波数帯域Ｂａ，Ｂｂ，Ｂｃの３バンドに分割するとそれぞれの帯域の波形は図１０の（ａ）に示すような波形となる。破線で示す波形が周波数帯域Ｂａの波形、太い一点鎖線で示す波形が周波数帯域Ｂｂの波形、細い実線で示す波形が周波数帯域Ｂｃの波形である。
【００４９】
相関検出部４１が、原データと周波数帯域Ｂａ，Ｂｂ，Ｂｃの３バンドのデータとの相関をとり、最も相関値が高いデータを選択すると、図１０の（ａ）に示す太い破線で示す波形のデータとなる。
【００５０】
図１０の（ｂ）は、比較のため、原データと周波数帯域Ｂａ，Ｂｂ，Ｂｃの３バンドのデータとの相関をとるのではなく、周波数帯域Ｂａ，Ｂｂ，Ｂｃの３バンドのデータの最大値をとるようにした場合の波形を示している。
【００５１】
図１０の（ａ）と（ｂ）とで、一点鎖線の楕円で囲んだ部分を比較すれば分かるように、図１０の（ａ）では、原データと近似した波形となるため、本実施形態では、ノイズ低減処理，エンハンス処理，スムージング処理を自然に施すことが可能となる。
【００５２】
以上説明したように、図１に示す一実施形態においては、映像信号に対して、ノイズ低減処理，エンハンス処理，スムージング処理のうちの少なくとも１つの処理を映像信号の特徴に応じて最適に施すことができる。また、一実施形態においては、ノイズ低減処理，エンハンス処理，スムージング処理を選択的に施すことができる。
【００５３】
一実施形態では、図１に示すように、信号解析ブロック１０と信号処理ブロック２０とでＮラインバッファ１を共通で用いているので、回路規模を削減することができる。また、信号解析ブロック１０に入力するデータのビット数を信号処理ブロック２０に入力するデータのビット数よりも少なくしているので、回路規模を削減することができる。
【００５４】
本発明は以上説明した一実施形態に限定されることはなく、本発明の要旨を逸脱しない範囲において種々変更可能である。Ｎラインバッファ１のＮ（マルチバンド信号生成部５のタップ数Ｎ）、マルチバンド信号生成部２のタップ数Ｘ、Ｍラインバッファ３ａ〜３ｈのＭは、適宜設定すればよい。
【符号の説明】
【００５５】
１  Ｎラインバッファ
２，５  マルチバンド信号生成部
３ａ〜３ｈ  Ｍラインバッファ
４  解析部
６  振幅調整・合成部
１０  信号解析ブロック
２０  信号処理ブロック
【図１】
0005821783.tif 000002
【図２】
0005821783.tif 000003
【図３】
0005821783.tif 000004
【図４】
0005821783.tif 000005
【図５】
0005821783.tif 000006
【図６】
0005821783.tif 000007
【図７】
0005821783.tif 000008
【図８】
0005821783.tif 000009
【図９】
0005821783.tif 000010
【図１０】
0005821783.tif 000011